(57)【要約】【課題】壁体を鉛直方向及び左右方向に対して平行となるように容易に壁下地に取り付けることができ、且つ、強固な壁構造を提供する。【解決手段】壁下地２の前面側に配置される壁取付具３を備える。壁取付具３にねじ孔５が前後方向に貫通形成される。外周面に雄ねじ１３が形成されたスリーブ４がねじ孔５に前後方向に移動自在に螺合されて壁取付具３に貫設される。スリーブ４の内側孔１４に前方から挿通されたねじ１２が壁下地２にねじ込まれる。ねじ１２により壁下地２にスリーブ４が固定される。壁取付具３に形成された取付部に壁体１が取り付けられる。【選択図】        図１
2010106475.tif 000002
【特許請求の範囲】
【請求項１】
壁下地の前面側に配置される壁取付具を備え、該壁取付具にねじ孔が前後方向に貫通形成され、外周面に雄ねじが形成されたスリーブが前記ねじ孔に前後方向に移動自在に螺合されて壁取付具に貫設され、スリーブの内側孔に前方から挿通されたねじが壁下地にねじ込まれて、該ねじによりスリーブが壁下地に固定され、前記壁取付具に形成された取付部に壁体が取り付けられることを特徴とする壁構造。
【発明の詳細な説明】
【技術分野】
【０００１】
本発明は壁構造に関する。
【背景技術】
【０００２】
浴室の壁パネルは、例えば床パン上に立設され、隣り合う壁パネルの間に長尺なジョイナーが立設され、該ジョイナーにより両壁パネルが接続される。
【０００３】
ところで、このような壁パネルは、長尺なジョイナーと共に壁パネルがたわむ恐れがある。また、これを防止するにはジョイナーをねじ具等により壁下地に固定することが考えられるが、この場合は壁下地の施工誤差や寸法誤差などにより壁パネルが鉛直方向に対して傾く恐れがある。
【０００４】
また、例えば特許文献１に示す仕上げ材は、支持プラグが回転自在に係止されたタッピングねじが仕上げ材の下穴を通して下地材にねじ込まれ、これにより仕上げ材が下地材に取り付けられている。そして、このねじのねじ込み深さを調整することで、壁材と壁下地の間の隙間寸法を調節して仕上げ材の傾きなどを調整できるようになっている。
【０００５】
しかし、特許文献１に示す壁構造は、支持プラグが下穴に嵌め込まれることによって仕上げ材がねじに対して固定されており、仕上げ材を下地材に対して強固に固定することが難しい。
【特許文献１】特開２０００−１７７３６号公報
【発明の開示】
【発明が解決しようとする課題】
【０００６】
本発明は上記従来の問題点に鑑みてなされたものであって、壁体を鉛直方向及び左右方向に平行となるように容易に壁下地に取り付けることができ、且つ、強固な壁構造を提供することを課題とする。
【課題を解決するための手段】
【０００７】
上記課題を解決するために、請求項１の壁構造は、壁下地２の前面側に配置される壁取付具３を備え、該壁取付具３にねじ孔５が前後方向に貫通形成され、外周面に雄ねじ１３が形成されたスリーブ４が前記ねじ孔５に前後方向に移動自在に螺合されて壁取付具３に貫設され、スリーブ４の内側孔１４に前方から挿通されたねじ１２が壁下地にねじ込まれて、該ねじ１２によりスリーブ４が壁下地２に固定され、前記壁取付具３に形成された取付部に壁体１が取り付けられることを特徴とする。
【発明の効果】
【０００８】
本発明にあっては、スリーブをねじの頭部と壁下地とで前後方向に挟持した状態で壁下地に対して固定し、且つ、該スリーブを壁取付具のねじ孔に螺合することにより壁取付具に固定することができ、壁取付具を壁下地に対して強固に取り付けることができる。従って、壁体を壁下地に対して強固に取り付けることができる。
【０００９】
また、壁取付具のねじ孔に螺合されたスリーブの前後位置を調節することで、壁取付具に取り付けられる壁体が鉛直方向と平行で且つ左右方向に対して傾きのないように、容易に壁取付具を壁下地に取り付けることができる。
【発明を実施するための最良の形態】
【００１０】
以下、本発明の実施形態の一例を添付図面に基づいて説明する。
【００１１】
図１は本例の壁構造を示す断面図であって、壁体１は浴室壁を構成する壁パネルで構成され、また、壁体１が取り付けられる壁下地２は建物躯体を構成する躯体パネルのボード１６で構成されている。
【００１２】
壁体１は図示しない床パンの外周縁上に二枚並べて立設される。これら隣り合う各壁体１は、浴室壁面を構成する表面板８と、表面板８の後面に取り付けられた断熱材９とで構成されている。
【００１３】
各壁体１の表面板８の他方の壁体１側の側縁部の背面側には壁体１の幅方向の内側に向けて突出する被係止部１０が形成されている。各被係止部１０は、表面板８の側縁を背方に向けて折曲し、この後縁を前方に折り返すことにより形成される。
【００１４】
各壁体１の対向する端部は、壁取付具３、スリーブ４、ねじ１２を用いて壁下地２の前面側（浴室側）に取付けられる。
【００１５】
壁取付具３は、壁体１の上下方向に長尺で且つ前方に開口する溝形鋼１７と、該溝形鋼１７の背面部１７ａの後面の上下方向の複数箇所に設けられたナット６とで構成され、前方に開口する断面略コ字状に形成されている。各ナット６は溶接等により背面部１７ａに接合される。
【００１６】
壁取付具３の後端部３ａの上下方向の複数箇所には、前後に貫通するねじ孔５が設けられている。各ねじ孔５は、ナット６の雌ねじ６ａと、これに連通する背面部１７ａに形成された孔７とで構成されている。
【００１７】
壁取付具３の両側部３ｂは溝形鋼１７の側面部１７ｂで構成されている。溝形鋼１７の両側の側面部１７ｂの前端部には内側に突出する係止部１１が夫々形成されている。各係止部１１は、側面部１７ｂの前縁を内側に折曲し、この側縁を外側に折り返すことにより形成される。
【００１８】
図２に示すように、各ねじ孔５には外周面に雄ねじ１３が形成されたスリーブ４が螺合される。各スリーブ４の前後長さはねじ孔５の前後長さよりも長く、また、スリーブ４は前後に貫通する内側孔１４を有している。各スリーブ４の前端部にはスリーブ４を回動するための前方に開口するすり割りからなる回動操作部１５が形成されている。
【００１９】
各スリーブ４の雄ねじ１３はナット６の雌ねじ６ａに螺合され、これによりスリーブ４は壁取付具３を前後方向に貫いた状態で設けられている。スリーブ４の後端面は壁下地２の前面に当接される。
【００２０】
各スリーブ４は、溝形鋼１７の前開口より挿入したドライバーのような操作具をスリーブ４の回動操作部１５に係合することによって回動することができるようになっている。これにより、各スリーブ４は、ねじ孔５に対するねじ込み深さを変更して、壁取付具３に対して前後方向に移動できるようになっている。このように各スリーブ４の壁取付具３に対する前後位置を調節することで、壁取付具３の各スリーブ４を設けた部分の壁下地２に対する前後位置を調節することができる。
【００２１】
溝形鋼１７の背面部１７ａよりも前方に突出した各スリーブ４の内側孔１４には、前方より溝形鋼１７の前開口より挿入したタッピングねじ１２が挿通され、各ねじ１２のねじ軸１２ａはスリーブ４の後方の壁下地２にねじ込まれる。各スリーブ４の前端面はねじ１２の頭部１２ｂにて後方に押圧され、これにより各スリーブ４は、ねじ１２の頭部１２ｂと壁下地２とで前後方向に挟持されて壁下地２に対して固定される。
【００２２】
前記スリーブ４が取り付けられた壁取付具３の溝形鋼１７の内側には、隣り合う壁体１の被係止部１０が前方より挿入され、各壁体１の被係止部１０は壁取付具３の対応する係止部１１に前後方向の移動が規制された状態で係止される。壁取付具３の両側部分の前側は両壁体１の表面板８によって覆われる。
【００２３】
両壁体１の被係止部１０の間には若干の隙間１９が形成されるように設定されている。隙間１９には前方より弾性を有する目地材１８が圧縮状態で挿入され、この目地材１８により隙間１９が封止される。また、隙間１９に楔のように打ち込まれた目地材１８により、各壁体１が他方の壁体１側に移動することが防止され、被係止部１０が係止部１１に確実に係止される。なお、目地材１８及び被係止部１０は隙間２０を介してねじ１２の頭部１２ｂの前方に位置する。
【００２４】
上記により、各壁体１の側端部は壁下地２に対して固定された壁取付具３に固定され、両壁体１の対向端部は壁取付具３を介して接続される。
【００２５】
なお、各壁体１の図示しない反対側の端部は、例えば図１に示す取付構造と同様に壁取付具３及びスリーブ４を用いて壁下地２に取り付けられたり、従来と同様に床パンの外周縁部上に立設したジョイナーに係止されたりするものであるが、該固定方法はこれに限定されるものではない。
【００２６】
前記各壁体１の側端部を壁下地２に固定するには例えば次のように行われる。
【００２７】
まず、各ねじ孔５にスリーブ４を螺合した状態にある壁取付具３を用意する。次に、前記ドライバーのような操作具を用いて、各スリーブ４の前後位置を調節し、壁取付具３のナット６よりも後方に突出させた各スリーブ４の後端面が壁下地２の前面に当接した状態において、上下に長い壁取付具３が鉛直方向に対して平行となり、且つ、壁取付具３に取り付けられる壁体１が左右方向に対して平行となるようにする。
【００２８】
次に、図２のように壁取付具３に設けた各スリーブ４の後端面を壁下地２の前面に当接した状態で、各スリーブ４の内側孔１４にねじ１２を溝形鋼１７の前開口を介して挿入し、各ねじ１２を壁下地２にねじ込んで壁下地２に各スリーブ４を固定する。これにより、壁取付具３の長さ方向の複数箇所が壁下地２に固定される。
【００２９】
そして、このように立設した壁取付具３の各係止部１１に床パン上に立設した各壁体１の被係止部１０を係止し、この後、各壁体１の間に目地材１８を挿入する。
【００３０】
以上説明した本例の壁構造にあっては、スリーブ４をねじ１２の頭部１２ｂと壁下地２とで前後方向に挟持した状態で壁下地２に対して固定し、且つ、該スリーブ４を壁取付具３のねじ孔５に螺合することにより壁取付具３に対して固定することができ、これにより壁取付具３を壁下地２に対して強固に取り付けることができる。従って、壁体１を壁下地２に対して強固に取り付けることができる。
【００３１】
また、壁取付具３のねじ孔５に螺合されたスリーブ４の前後位置を調節することで、壁取付具３に取り付けられる壁体１が鉛直方向及び左右方向と平行となるように、容易に壁取付具３を壁下地２に取り付けることができる。
【００３２】
なお、本例では壁体１を浴室壁を構成する壁パネルとし、壁下地２を躯体パネルのボード１６としたが、壁体１及び壁下地２はこれに限定されるものではなく、例えば壁体１は内装壁材等であっても良いし、また、壁下地２は桟等であっても良い。
【図面の簡単な説明】
【００３３】
【図１】本発明の実施形態の一例の壁構造を示す水平断面図である。
【図２】同上のスリーブを設けた壁取付具を壁下地の前面に沿わせた状態を示す水平断面図である。
【符号の説明】
【００３４】
１  壁体
２  壁下地
３  壁取付具
４  スリーブ
５  ねじ孔
１０  被係止部
１１  係止部
１３  雄ねじ
【図１】
2010106475.tif 000003
【図２】
2010106475.tif 000004